(57)【要約】【課題】電話発信時にその通信相手先である電話番号の代用として少数桁の簡易代用数値を入力する電話番号簡易入力機能を備えた携帯電話装置であって、通信相手先の電話番号が記憶されている可搬型記録媒体が装置本体に装着されている場合には、この記録媒体内の電話番号を本体側でそのまま使用できるようにする。【解決手段】電話番号簡易入力機能を構成するに簡易代用数値に対応して割り当てられている通信相手先の電話番号が本体側ダイヤルメモリ２１に記憶管理されている状態において、ＣＰＵ１は、簡易代用数値の入力に伴うメモリダイヤル操作時に、ＵＩＭカード１５が装着されているか否かを判別し、ＵＩＭカード１５が装着されていれば、メモリダイヤル操作時に入力された簡易代用数値に対応する電話番号を本体側ダイヤルメモリ２１に代わってＵＩＭカード１５内のカード側ダイヤルメモリ１５Ａから読み出してダイヤル発信を行う。【選択図】  図1
2007208754.tif 000002
【特許請求の範囲】
【請求項１】
電話発信時にその通信相手先である電話番号の代用として少数桁の簡易代用数値を入力する電話番号簡易入力機能を備えた携帯端末装置であって、
前記電話番号簡易入力機能を構成するために簡易代用数値に対応して割り当てられている通信相手先の電話番号を記憶管理する本体側の電話番号記憶手段と、
簡易代用数値の入力に伴う発信操作時に、通信相手先の電話番号とその簡易代用数値とを対応付けて記憶する可搬型記録媒体が装置本体に装着されているか否かを判別する判別手段と、
この判別手段によって可搬型記録媒体が装着されていることが判別された際に、前記発信操作時に入力された簡易代用数値に対応する電話番号を前記本体側の電話番号記憶手段に代わって前記可搬型記録媒体から読み出してダイヤル発信を行う発信制御手段と、
を具備したことを特徴とする携帯端末装置。
【請求項２】
前記判別手段は、前記可搬型記録媒体が装着されているか否かを判別すると共に、可搬型記録媒体が装着されている場合には、前記発信操作時に入力された簡易代用数値が当該可搬型記録媒体内に記憶されているか否かを判別し、
前記発信制御手段は、前記判別手段によって可搬型記録媒体の非装着が判別された場合あるいは可搬型記録媒体が装着されていても前記発信操作時に入力された簡易代用数値がそれに記憶されていないと判別された場合に、前記本体側の電話番号記憶手段を検索し、前記発信操作時に入力された簡易代用数値に対応する電話番号を読み出してダイヤル発信を行う、
ようにしたことを特徴とする請求項1記載の携帯端末装置。
【請求項３】
前記判別手段は、前記発信操作時に入力された簡易代用数値が前記可搬型記録媒体内に記憶されているか否かを判別すると共に、前記本体側の電話番号記憶手段にも記憶されているか否かを判別し、
この判別手段によって前記発信操作時に入力された簡易代用数値が本体側の電話番号記憶手段と可搬型記録媒体との両方に記憶されていると判別された場合に、当該簡易代用数値に対応する電話番号をその両方から読み出して表示出力させている状態において、前記発信制御手段は、何れかの電話番号が選択指定された際に、この選択番号に基づいてダイヤル発信を行う、
ようにしたことを特徴とする請求項1記載の携帯端末装置。
【請求項４】
前記発信操作時に入力された簡易代用数値に対応する電話番号を前記可搬型記録媒体から読み出して発信動作を行った場合に、この簡易代用数値と電話番号との対応が前記本体側の電話番号記憶手段に記憶されていなければ、当該簡易代用数値と電話番号とを本体側の電話番号記憶手段に対応付けて追加登録する、
ようにしたことを特徴とする請求項1記載の携帯端末装置。
【請求項５】
前記可搬型記録媒体は、簡易代用数値に対応して割り当てられている通信相手先の電話番号を記憶するほか、自己の電話番号を記憶し、
前記発信制御手段は、前記可搬型記録媒体内の自己の電話番号を発信元としてダイヤル発信を行う、
ようにしたことを特徴とする請求項1記載の携帯端末装置。
【請求項６】
コンピュータに対して、
電話発信時にその通信相手先である電話番号の代用として少数桁の簡易代用数値を入力する電話番号簡易入力機能を構成するために簡易代用数値に対応して割り当てられている通信相手先の電話番号を記憶管理する機能と、
簡易代用数値の入力に伴う発信操作時に、通信相手先の電話番号とその簡易代用数値とを対応付けて記憶する可搬型記録媒体が装置本体に装着されているか否かを判別する機能と、
この可搬型記録媒体が装着されていることが判別された際に、前記発信操作時に入力された簡易代用数値に対応する電話番号を前記本体側の電話番号簡易入力機能に代わって前記可搬型記録媒体から読み出してダイヤル発信を行う機能と、
を実現させるためのプログラム。
【発明の詳細な説明】
【技術分野】
【０００１】
この発明は、電話発信時にその通信相手先である電話番号の代用として少数桁の簡易代用数値を入力する電話番号簡易入力機能（メモリダイヤル発信機能）を備えた携帯端末装置及びプログラムに関する。
【背景技術】
【０００２】
従来、加入者番号として複数の電話番号を利用可能な携帯電話装置としては、例えば、自己発信のための電話番号が記憶されているメモリカードが装着された際に、このメモリカード内の電話番号で発着信を可能した技術が知られている（特許文献１参照）。また、加入者情報（ユーザ情報）として発信元の電話番号を記憶したメモリカードに電話帳データを記憶しておき、装置本体に当該メモリカードが装着されている状態において、このメモリカードから電話帳データを読み出して本体側で使用可能とした技術が知られている（特許文献２参照）。
【特許文献１】特開２００３−１８９３６１号公報
【特許文献２】特開２００３−１８２８２号公報
【発明の開示】
【発明が解決しようとする課題】
【０００３】
上述のメモリカードは、一般にＳＩＭ（Subscriber Identity Module）カードあるいはＵＩＭ（User Identity Module）カードと呼ばれるもので、携帯電話の買い替え時にユーザ情報を新たな携帯電話にそのまま使用可能となり、また、異なる電話番号（加入者番号）が記憶されているメモリカードを選択的に装着することで携帯電話を例えば、ビジネス用／プライベート用などに使い分けることができ、更にはセキュリティの大幅な向上を期待できるなど、実用効果の高いものである。
【０００４】
ところで、電話発信時において操作の簡素化を図るためにメモリダイヤル、ワンタッチダイヤル、短縮ダイヤルなどと呼ばれる機能、つまり、通信相手先の電話番号の代用として少数桁の簡易代用数値を入力する電話番号簡易入力機能（メモリダイヤル発信機能）は、例えば、“０〜９”の数値キーと発信キーとの組み合わせ、あるいは“００〜９９”の数値入力と発信キーとの組み合わせ操作によって通信相手先の電話番号を入力可能なものであるが、この簡易入力機能を備えた携帯電話装置に上述のメモリカードを装着したとしても、このメモリカード内の電話番号を簡易入力機能として使用することはできない。つまり、簡易入力機能は、電話番号と簡易代用数値との対応を固定的に定義したもので、この本体側の定義内容を変更しなければ、メモリカード内の電話帳データを簡易入力機能として利用することはできなかった。
【０００５】
この発明の課題は、電話発信時にその通信相手先である電話番号の代用として少数桁の簡易代用数値を入力する電話番号簡易入力機能を備えた携帯端末装置であって、通信相手先の電話番号が記憶されている可搬型記録媒体が装置本体に装着されている場合には、この記録媒体内の電話番号を本体側でそのまま使用できるようにすることである。
【課題を解決するための手段】
【０００６】
請求項１記載の発明は、電話発信時にその通信相手先である電話番号の代用として少数桁の簡易代用数値を入力する電話番号簡易入力機能を備えた携帯端末装置であって、前記電話番号簡易入力機能を構成するために簡易代用数値に対応して割り当てられている通信相手先の電話番号を記憶管理する本体側の電話番号記憶手段と、簡易代用数値の入力に伴う発信操作時に、通信相手先の電話番号と簡易代用数値とを対応付けて記憶する可搬型記録媒体が装置本体に装着されているか否かを判別する判別手段と、この判別手段によって可搬型記録媒体が装着されていることが判別された際に、前記発信操作時に入力された簡易代用数値に対応する電話番号を前記本体側の電話番号記憶手段に代わって前記可搬型記録媒体から読み出してダイヤル発信を行う発信制御手段とを具備したことを特徴とする。
更に、コンピュータに対して、上述した請求項１記載の発明に示した主要機能を実現させるためのプログラムを提供する（請求項６記載の発明）。
【０００７】
なお、上述した請求項１記載の発明は次のようなものであってもよい。
前記判別手段は、前記可搬型記録媒体が装着されているか否かを判別すると共に、可搬型記録媒体が装着されている場合には、前記発信操作時に入力された簡易代用数値が当該可搬型記録媒体内に記憶されているか否かを判別し、前記発信制御手段は、前記判別手段によって可搬型記録媒体の非装着が判別された場合あるいは可搬型記録媒体が装着されていても前記発信操作時に入力された簡易代用数値がそれに記憶されていないと判別された場合に、前記本体側の電話番号記憶手段を検索し、前記発信操作時に入力された簡易代用数値に対応する電話番号を読み出してダイヤル発信を行う（請求項２記載の発明）。
【０００８】
前記判別手段は、前記発信操作時に入力された簡易代用数値が前記可搬型記録媒体内に記憶されているか否かを判別すると共に、前記本体側の電話番号記憶手段にも記憶されているか否かを判別し、この判別手段によって前記発信操作時に入力された簡易代用数値が本体側の電話番号記憶手段と可搬型記録媒体との両方に記憶されていると判別された場合に、当該簡易代用数値に対応する電話番号をその両方から読み出して表示出力させている状態において、前記発信制御手段は、その何れかの電話番号が選択指定された際に、この選択番号に基づいてダイヤル発信を行う（請求項３記載の発明）。
【０００９】
前記発信操作時に入力された簡易代用数値に対応する電話番号を前記可搬型記録媒体から読み出して発信動作を行った場合に、この簡易代用数値と電話番号との対応が前記本体側の電話番号記憶手段に記憶されていなければ、当該簡易代用数値と電話番号とを本体側の電話番号記憶手段に対応付けて追加登録する（請求項４記載の発明）。
【００１０】
前記可搬型記録媒体は、簡易代用数値に対応して割り当てられている通信相手先の電話番号を記憶するほか、自己の電話番号を記憶し、前記発信制御手段は、前記可搬型記録媒体内の自己の電話番号を発信元としてダイヤル発信を行う（請求項５記載の発明）。
【発明の効果】
【００１１】
請求項１記載の発明によれば、電話発信時にその通信相手先の電話番号を少数桁の簡易代用数値で入力する電話番号簡易入力機能を構成するために簡易代用数値に対応して割り当てられている通信相手先の電話番号を記憶管理している状態において、簡易代用数値の入力に伴う発信操作時に、可搬型記録媒体が装着されているか否かを判別し、記録媒体が装着されていれば、発信操作時に入力された簡易代用数値に対応する電話番号を本体側の電話番号簡易入力機能に代わって当該記録媒体から読み出してダイヤル発信を行うようにしたから、記録媒体内の電話番号を本体側でそのまま使用することができる。つまり、本体側に簡易代用数値と電話番号との対応が記憶されているとしても、記録媒体の装着はその電話番号を使用するためになされたものとして、記録媒体内の電話番号を本体側でそのまま使用することができる。
【００１２】
請求項２記載の発明によれば、上述した請求項１記載の発明と同様の効果を有するほか、記録媒体の非装着あるいは記録媒体が装着されていても発信操作時に入力された簡易代用数値が当該記録媒体内に記憶されていない場合には、発信操作時に入力された簡易代用数値に対応する電話番号を本体側から読み出してダイヤル発信するようにしたから、記録媒体内の電話番号を優先的に使用するものの、本体側の電話番号を使用することもできる。
【００１３】
請求項３記載の発明によれば、上述した請求項１記載の発明と同様の効果を有するほか、発信操作時に入力された簡易代用数値が本体側と記録媒体との両方に記憶されている場合に、当該簡易代用数値に対応する電話番号をその両方から読み出して表示出力させている状態において、この何れかの電話番号が選択指定された際に、この選択番号に基づいてダイヤル発信を行うようにしたから、記録媒体側の電話番号を使用するか本体側の電話番号を使用するかをユーザが任意に選択可能であるほか、例えば、簡易代用数値としての“０〜９”を本体側と記録媒体側の両方に設定することができ、簡易代用数値に対応して２倍の電話番号を割り当てることができる。
【００１４】
請求項４記載の発明によれば、上述した請求項１記載の発明と同様の効果を有するほか、発信操作時に入力された簡易代用数値に対応する電話番号を記録媒体から読み出して発信動作を行った場合に、この簡易代用数値と電話番号との対応が本体側に記憶されていなければ、当該簡易代用数値と電話番号とを対応付けて本体側に追加登録するようにしたから、記憶媒体を外した状態でもその内容を使用したダイヤル発信が可能となる。
【００１５】
請求項５記載の発明によれば、上述した請求項１記載の発明と同様の効果を有するほか、記録媒体は、簡易代用数値に対応して割り当てられている通信相手先の電話番号を記憶するほか、自己の電話番号を記憶しており、この記録媒体内の自己の電話番号を発信元としてダイヤル発信を行うようにしたから、記録媒体の装着有無に応じて発信元の電話番号を変更することができ、複数の電話番号を例えば、ビジネス用／プライベート用などに使い分けることが可能となる。
【発明を実施するための最良の形態】
【００１６】
以下、図１〜図６を参照して本発明の実施例を説明する。
この実施例は、携帯端末装置として携帯電話装置に適用した場合を例示したもので、図１は、携帯電話装置の基本的な構成要素を示したブロック図である。
この携帯電話装置は、通話機能、電子メール機能、インターネット接続機能などのほか、電話番号簡易入力機能、デュアル電話番号機能が備えられている。電話番号簡易入力機能は、メモリダイヤル機能を構成するもので、上述したように電話発信時にその通信相手先である電話番号の代用として少数桁の簡易代用数値を入力することによってダイヤル発信を行うメモリダイヤル発信機能である。デュアル電話番号機能は、加入者番号としての複数の電話番号（２つの電話番号）を選択的に切り替えて使用可能なもので、現在選択された電話番号を有効な番号として切り替えて電話発着信を行う機能である。
【００１７】
ＣＰＵ１は、記憶部２内の各種のプログラムに応じてこの携帯電話装置の全体動作を制御する中核的な中央演算処理装置であり、このメインＣＰＵ１のほか、この携帯電話装置には、機能別に複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図５及び図６に示す動作手順に応じて本実施例を実現するためのプログラムが格納されている。また、記憶部２のデータ領域には、「加入者電話番号」のほか、上述した電話番号簡易入力機能を構成する本体側ダイヤルメモリ２１などが記憶されている。記録メディア３は、着脱自在な可搬型メモリで、画像データ、各種のデータ、プログラムなどを外部供給するもので、例えば、スマートメディア、ＩＣカードなどによって構成されている。メモリ４は、ワーク領域を有する内部メモリで、例えば、ＤＲＡＭ、ＳＤＲＡＭ（Synchronous DRAM）などによって構成されている。
【００１８】
電話通信部５は、無線部を構成するアンテナ５Ａに接続された送受信部（ベースバンド部）の受信側から信号を取り込んで受信ベースバンド信号に復調したのちに、音声制御部６を介して音声スピーカ７から音声出力させる。また、電話通信部５は、音声マイク８から入力された音声データを音声制御部６から取り込み、送信ベースバンド信号に符号化したのちに送受信部の送信側に与えられてアンテナ５Ａから発信出力させる。一方、電子メール機能、インターネット接続機能によって電話通信部５を介して受信取得した表示データは、表示制御部９を介してＬＣＤ（液晶表示装置）などを備えたメイン表示部１０に与えられて表示出力される。
【００１９】
メイン表示部１０は、文字情報、画像データ、各種のメッセージなどを高品位に表示し、装置本体の背面側に設けられたサブ表示部１１は、現在日時、簡易なメッセージ、アイコンなどを表示する。キー操作部１２は、ダイヤル入力、文字入力、コマンド入力などを行うもので、ＣＰＵ１は、キー操作部１２からのキー入力信号に応じた処理を実行する。報知部１３は、着信報知などの報知用のスピーカ、ＬＥＤ(発光ダイオード)、振動モータを備え、電話・メール着信時に駆動されて着信報知を行うほか、アラーム報知時にも駆動される。カードＩＦ（インターフェイス）部１４は、ＵＩＭ（User Identity Module）カード１５が着脱可能に装着されるもので、このＵＩＭカード１５に記録されている加入者情報（ユーザ情報）をＣＰＵ１に与える。
【００２０】
図２は、本体側ダイヤルメモリ２１を説明するための図である。
本体側ダイヤルメモリ２１は、上述した電話番号簡易入力機能を構成するもので、電話発信時にその通信相手先である電話番号の代用として少数桁の簡易代用数値を入力することによってダイヤル発信を可能とするために、このダイヤルメモリ２１には、「簡易代用数値」に対応付けて通信相手先の「電話番号」を記憶する構成となっている。なお、この例では、「簡易代用数値」として“０〜９”、“００〜９９”を設定した場合を示しているが、どのような数値を設定するかをユーザ操作によって任意に変更可能としてもよい。
【００２１】
図３は、携帯電話装置の外観斜視図である。
装置本体は、例えば、２つの筐体（上部筐体、下部筐体）が開閉可能に取り付けられた折り畳み自在なもので、ＣＰＵ１は、この下部筐体上のキー操作部１２に配列されているアスタリスクキー１２Ａと共にテンキー１２Ｂが操作されると、つまり、メモリダイヤル操作が行われると、このテンキー操作によって入力された「簡易代用数値」に基づいて本体側ダイヤルメモリ２１を検索し、この「簡易代用数値」に割り当てられている「電話番号」を読み出すと共に、発信キー１２Ｃの操作に応答して当該「電話番号」でダイヤル発信を行うようにしている。この場合、アスタリスクキー１２Ａを操作したのちにテンキー１２Ｂをワンタッチ操作することによって“０〜９”を「簡易代用数値」として入力したり、テンキー１２Ｂをツータッチ操作することによって“００〜９９”を「簡易代用数値」として入力するようにしている。なお、中止キー１２Ｄは、「簡易代用数値」を入力後にダイヤル発信を中止する場合に操作される。
【００２２】
また、図３に示すように下部筐体の一側面部にはカードＩＦ部１４を構成するカードスロット１４Ａが設けられており、このカードスロット１４ＡにＵＩＭカード１５が装着されると、カードＩＦ部１４は、カード装着信号をＣＰＵ１に与える。ＣＰＵ１は、電話番号簡易入力機能による入力操作時に、カードＩＦ部１４からのカード装着信号に基づいてＵＩＭカード１５が装着されているか否かを判別し、ＵＩＭカード１５が装着されていれば、本体側ダイヤルメモリ２１に代わってＵＩＭカード１５に記録されているダイヤルメモリ１５Ａを検索し、入力された「簡易代用数値」に対応の「電話番号」を読み出してダイヤル発信を行うようにしている。
【００２３】
図４は、ＵＩＭカード１５の記録内容を示した図である。
ＵＩＭカード１５には加入者情報として加入者登録番号（識別情報）などのほか、「加入者電話番号（発信番号）」、「ダイヤルメモリ」が記録されている。この「加入者電話番号（発信番号）」は、上述の記憶部２に設定されている本体側の「加入者電話番号」とは異なる第２の電話番号であり、ＵＩＭカード１５が装着されている状態での発信時には、本体側の「加入者電話番号」に代わってカード側の「加入者電話番号」が発信元を示す情報として送信される。「ダイヤルメモリ」は、ガード側ダイヤルメモリ１５Ａを構成するもので、「簡易代用数値」に対応付けて通信相手先の「電話番号」を記憶する構成となっている。この例では、テンキー“０〜９”を「簡易代用数値」として場合である。
【００２４】
次にこの実施例における携帯電話装置の動作概念を図５及び図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、伝送媒体を介して外部供給されたプログラム／データを利用してこの実施例特有の動作を実行することもできる。
【００２５】
図５及び図６は、電話番号簡易入力機能（メモリダイヤル発信機能）の動作概要を示したフローチャートであり、アスタリスクキー１２Ａとテンキー１２Ｂとの組み合わせ操作（メモリダイヤル操作）に応じて実行開始される。
先ず、ＣＰＵ１は、メモリダイヤル操作が行われると、カードＩＦ部１４からのカード装着信号に基づいてＵＩＭカード１５が装着されているか否かを判別し（ステップＳ１）、ＵＩＭカード１５の非装着状態であれば（ステップＳ１でＮＯ）、本体側ダイヤルメモリ２１を検索し、メモリダイヤル操作によって入力された「簡易代用数値」が本体側ダイヤルメモリ２１に設定されているか否かを調べ（ステップＳ１２）、該当する数値が存在していなければ、入力エラーのメッセージを表示出力させる（ステップＳ１３）。
【００２６】
本体側ダイヤルメモリ２１に該当する「簡易代用数値」が設定されていれば（ステップＳ１２でＹＥＳ）、この「簡易代用数値」対応の「電話番号」を本体側ダイヤルメモリ２１から読み出して表示出力させたのち（ステップＳ１４）、発信キー１２Ｃが操作されたか（ステップＳ１５）、中止キー１２Ｄが操作されたかを調べる（ステップＳ１６）。いま、中止キー１２Ｄが操作された際には、電話番号簡易入力機能の終了となるが、発信キー１２Ｃが操作された際には（ステップＳ１５でＹＥＳ）、本体側の「加入者電話番号（発信番号）」を発信元として、本体側ダイヤルメモリ２１から読み出した通信相手先の「電話番号」に対してダイヤル発信を行う（ステップＳ１７）。そして、当該相手先との回線接続が確立されたのち、その接続が遮断されると（ステップＳ１８）、このフローから抜け、電話番号簡易入力機能の終了となる。
【００２７】
ＵＩＭカード１５が装着されている場合には（ステップＳ１でＹＥＳ）、メモリダイヤル操作によって入力された「簡易代用数値」がカード側ダイヤルメモリ１５Ａに設定されているか否かを調べ（ステップＳ２）、該当する数値が設定されていなければ、上述のステップＳ１２に移り、本体側ダイヤルメモリ２１に設定されているか否かを調べ、カード側、本体側の両方にも設定されていなければ（ステップＳ１２でＮＯ）、入力エラーのメッセージを表示出力させる（ステップＳ１３）。いま、カード側には設定されていないが、本体側に設定されている場合には（ステップＳ１２でＹＥＳ）、上述のステップＳに移り、本体側ダイヤルメモリ２１から読み出した「電話番号」を表示出力させたのち、以下、同様の動作が行われる。
【００２８】
カード側ダイヤルメモリ１５Ａに該当する「簡易代用数値」が設定されている場合には（ステップＳ２でＹＥＳ）、本体側ダイヤルメモリ２１にも同様の「簡易代用数値」が設定されているか否かを調べる（ステップＳ３）。ここで、カード側に設定されているが、本体側には設定されていない場合には（ステップＳ３でＮＯ）、この「簡易代用数値」対応の「電話番号」をカード側ダイヤルメモリ１５Ａから読み出して表示出力させたのち（ステップＳ４）、上述の場合と同様に、発信キー１２Ｃが操作されたか、中止キー１２Ｄが操作されたかを調べる（ステップＳ５、Ｓ６）。
【００２９】
発信キー１２Ｃが操作された際には、カード側の「加入者電話番号（発信番号）」を発信元として、カード側ダイヤルメモリ１５Ａから読み出した通信相手先の「電話番号」に対してダイヤル発信を行う（ステップＳ７）。そして、当該相手先との回線接続が確立されたのち、その接続が遮断されると（ステップＳ８）、次のステップＳ９に移り、この「簡易代用数値」と「電話番号」とを対応を本体側ダイヤルメモリ２１に追加登録するかを問い合わせるための確認メッセージを表示出力させる。ここで、追加登録が指示された場合には（ステップＳ１０でＹＥＳ）、この「簡易代用数値」と「電話番号」とを対応付けて本体側ダイヤルメモリ２１に追加登録する（ステップＳ１１）。
【００３０】
他方、メモリダイヤル操作によって入力された「簡易代用数値」がカード側、本体側の両方に設定されている場合には（ステップＳ３でＹＥＳ）、図６のステップＳ１９に移り、両方のダイヤルメモリ１５Ａ、２１から当該「簡易代用数値」対応の「電話番号」を読み出して同じ番号であるかを調べる。この結果、両者が同一番号であれば、上述の場合と同様に、発信キー１２Ｃが操作されたか、中止キー１２Ｄが操作されたかを調べ（ステップＳ２６、Ｓ２７）、発信キー１２Ｃが操作された際には、カード側の「加入者電話番号（発信番号）」を発信元として、カード側ダイヤルメモリ１５Ａから読み出した通信相手先の「電話番号」に対してダイヤル発信を行う（ステップＳ２８）。そして、当該相手先との回線接続が確立されたのち、その接続が遮断されると（ステップＳ２９）、電話番号簡易入力機能の終了となる。
【００３１】
また、カード側、本体側とで「簡易代用数値」が異なる場合には（ステップＳ１９でＮＯ）、両方のダイヤルメモリ１５Ａ、２１から当該「簡易代用数値」対応の「電話番号」を読み出して選択候補として表示出力させる（ステップＳ２０）。この選択画面の中から何れかの「電話番号」が今回の通信相手先として選択されると（ステップＳ２１）、発信キー１２Ｃが操作されたか、中止キー１２Ｄが操作されたかを調べ（ステップＳ２２、Ｓ２３）、発信キー１２Ｃが操作された際には、カード側の「加入者電話番号（発信番号）」を発信元とし、今回の通信相手先として選択された「電話番号」に対してダイヤル発信を行う（ステップＳ２４）。そして、当該相手先との回線接続が確立されたのち、その接続が遮断されると（ステップＳ２５）、電話番号簡易入力機能の終了となる。
【００３２】
以上のように、この実施例においては、電話番号簡易入力機能を構成するに簡易代用数値に対応して割り当てられている通信相手先の電話番号が本体側ダイヤルメモリ２１に記憶管理されている状態において、ＣＰＵ１は、簡易代用数値の入力に伴うメモリダイヤル操作時に、ＵＩＭカード１５が装着されているか否かを判別し、ＵＩＭカード１５が装着されていれば、メモリダイヤル操作時に入力された簡易代用数値に対応する電話番号を本体側ダイヤルメモリ２１に代わってＵＩＭカード１５内のカード側ダイヤルメモリ１５Ａから読み出してダイヤル発信するようにしたから、カード側ダイヤルメモリ１５Ａの電話番号を本体側でそのまま使用することができる。つまり、本体側ダイヤルメモリ２１に簡易代用数値と電話番号との対応が記憶されているとしても、ＵＩＭカード１５の装着はその電話番号を使用するためになされたものとして、ＵＩＭカード１５内の電話番号を本体側でそのまま使用することができる。
【００３３】
ＣＰＵ１は、ＵＩＭカード１５の非装着あるいはＵＩＭカード１５が装着されていてもメモリダイヤル操作時に入力された簡易代用数値が当該ＵＩＭカード１５に記憶されていない場合には、この簡易代用数値に対応する電話番号を本体側ダイヤルメモリ２１から読み出してダイヤル発信するようにしたから、ＵＩＭカード１５内の電話番号を優先的に使用するものの、本体側ダイヤルメモリ２１内の電話番号を使用することもできる。
【００３４】
また、メモリダイヤル操作時に入力された簡易代用数値が本体側ダイヤルメモリ２１とカード側ダイヤルメモリ１５Ａとの両方に記憶されている場合に、当該簡易代用数値に対応する電話番号をその両方から読み出して表示出力させている状態において、ＣＰＵ１は、この何れかの電話番号が選択指定された際に、この選択番号に基づいてダイヤル発信を行うようにしたから、カード側の電話番号を使用するか本体側の電話番号を使用するかをユーザが任意に選択可能であるほか、例えば、簡易代用数値としての“０〜９”を本体側とカード側の両方に設定することができ、簡易代用数値に対応して２倍の電話番号を割り当てることが可能となる。
【００３５】
メモリダイヤル操作時に入力された簡易代用数値に対応する電話番号をＵＩＭカード１５から読み出して発信動作を行った場合に、この簡易代用数値と電話番号との対応が本体側ダイヤルメモリ２１に記憶されていなければ、当該簡易代用数値と電話番号とを対応付けて本体側ダイヤルメモリ２１に追加登録するようにしたから、ＵＩＭカード１５を外した状態でもその内容を使用したダイヤル発信が可能となる。
【００３６】
また、ＵＩＭカード１５は、簡易代用数値に対応して割り当てられている通信相手先の電話番号を記憶するほか、自己の電話番号を記憶しており、このＵＩＭカード１５内の自己の電話番号を発信元としてダイヤル発信を行うようにしたから、ＵＩＭカード１５の装着有無に応じて発信元の電話番号を変更することができ、複数の電話番号を例えば、ビジネス用／プライベート用などに使い分けることが可能となる。
【００３７】
なお、上述した実施例においては、ＵＩＭカードを例示したが、ＳＩＭカードなどのメモリカードであっても同様に適用可能である。その他、携帯電話装置に限らず、例えば、電話機能付きのＰＤＡ、電子カメラ、電子腕時計、音楽再生機などの携帯端末装置であっても同様に適用可能である。
【図面の簡単な説明】
【００３８】
【図１】携帯電話装置の基本的な構成要素を示したブロック図。
【図２】本体側ダイヤルメモリ２１を説明するための図。
【図３】携帯電話装置の外観斜視図。
【図４】ＵＩＭカード１５の記録内容を示した図。
【図５】電話番号簡易入力機能（メモリダイヤル発信機能）の動作概要を示したフローチャート。
【図６】図５に続く、フローチャート。
【符号の説明】
【００３９】
１  ＣＰＵ
２  記憶部
５  電話通信部
１０  メイン表示部
１２  キー操作部
１２Ａ  アスタリスクキー
１２Ｂ  テンキー
１２Ｃ  発信キー
１４  カードＩＦ部
１５  ＵＩＭカード
１５Ａ  カード側ダイヤルメモリ
２１  本体側ダイヤルメモリ
【図１】
2007208754.tif 000003
【図２】
2007208754.tif 000004
【図３】
2007208754.tif 000005
【図４】
2007208754.tif 000006
【図５】
2007208754.tif 000007
【図６】
2007208754.tif 000008